(57)【要約】【課題】簡単な装置構成で駐車位置を容易に確認する。【解決手段】駐車場２は、出入口通路３、駐車エリア４、歩行者通路５から構成される。出入口通路３には出入車両管理装置１５が、各駐車スペース１１ａ〜１４ｊには車両データ読み取り装置１６が、歩行者通路５には駐車位置案内装置１７がそれぞれ設置される。車両キー７５には、無線タグ７６が取り付けられる。無線タグ７６は、アンテナ７７とＩＣ７８とからなり、電波の通信機能を備える。データリーダ４２は、無線タグ７６から送信される車両番号データの電波を受信する。マイコン８０は、車両番号データ、駐車位置データ、暗証番号データを関連付けてＲＡＭ８１に記録する。データリーダ８２は、無線タグ７６から送信される車両番号データの電波を受信する。データ照合部８４は、受信した車両番号データとＲＡＭ８１内の車両番号データとを照合する。【選択図】図１
2004206199.tif 000002
【特許請求の範囲】
【請求項１】
車両が出入りする車両出入口と、車両が駐車される複数の駐車スペースと、車両から降りた利用者が通行するユーザ通路とを備えた駐車場に設置される駐車位置確認システムであって、
車両データが記憶された記憶媒体と、前記記憶媒体に記憶された車両データを読み取る車両データ読み取り手段と、読み取った車両データと駐車位置データとを関連付けて記憶する駐車位置記憶手段と、前記記憶媒体に記憶された車両データを読み取り、読み取った車両データと前記駐車位置記憶手段に記憶された車両データとを照合する車両データ照合手段と、この車両データ照合手段により一致が判定された場合には、その駐車位置を表示する駐車位置表示手段とを備えたことを特徴とする駐車位置確認システム。
【請求項２】
前記記録媒体を、無線タグから構成したことを特徴とする請求項１記載の駐車位置確認システム。
【請求項３】
前記記録媒体を、車両キーに取り付けたことを特徴とする請求項１または２記載の駐車位置確認システム。
【請求項４】
前記車両データ読み取り手段を、前記複数の駐車スペース毎に設置したことを特徴とする請求項１ないし３いずれか１つ記載の駐車位置確認システム。
【請求項５】
前記駐車位置記憶手段と車両データ照合手段と駐車位置表示手段とを、前記ユーザ通路に設置したことを特徴とする請求項１ないし４いずれか１つ記載の駐車位置確認システム。
【請求項６】
前記駐車位置表示手段は、この駐車位置表示手段が設置された場所から駐車位置までの通行ルートを表示することを特徴とする請求項１ないし５いずれか１つ記載の駐車位置確認システム。
【請求項７】
任意の暗証番号データを入力する暗証番号データ入力手段と、入力された暗証番号データと駐車位置データとを関連付けて記憶する駐車位置記憶手段と、暗証番号データの入力が可能で、入力された暗証番号データと前記駐車位置記憶手段に記憶された暗証番号データとを照合する暗証番号データ照合手段と、この暗証番号データ照合手段により一致が判定された場合に、前記駐車位置表示手段の機能を有効化する表示規制手段とを備えたことを特徴とする請求項１ないし６いずれか１つ記載の駐車位置確認システム。
【発明の詳細な説明】
【０００１】
【発明の属する技術分野】
本発明は、駐車場に駐車した車両の位置を確認する駐車位置確認システムに関するものである。
【０００２】
【従来の技術】
【特許文献１】
特開平１０−１１６３９９号公報
【０００３】
駐車した車両の位置を確認する駐車位置確認装置が、例えば特許文献１などで提案されている。この駐車位置確認装置では、入口で駐車券発行時刻を記録した駐車券を発行し、カメラ等の駐車位置判定手段により、駐車券に記録された駐車券発行時刻に対応する車両が駐車するまでの軌跡を把握し、車両が駐車した位置を識別した後にその駐車位置情報を送信し、駐車券に備えられた電波受信装置により駐車位置情報を受信して、駐車券に備えられたＣＰＵにより駐車券に駐車位置情報を記録している。
【０００４】
【発明が解決しようとする課題】
しかしながら、特許文献１の駐車位置確認装置では、駐車券は自車情報記憶手段と自車情報案内手段と駐車位置情報受信手段とを備えるため、サイズが大きくなり、ポケットや鞄等に収納する際に嵩張ってしまう。また、駐車位置情報により駐車位置を知ることはできるが、その駐車位置の場所や駐車位置までの通行ルート等は知ることができない。例えば、Ａ１〜Ａ１００という１００台分の駐車スペースが設けられた駐車場で、ユーザが「Ａ１５」という駐車位置に駐車した場合、ユーザは「Ａ１５」という駐車位置を知ることができるが、「Ａ１５」という駐車位置の場所を知ることができない。そのため、大きな駐車場では、車両を探し出すのに時間がかかっていた。さらに、車両が入口を通過し、車両検出手段により車両の存在位置を検出し、完全に駐車して駐車位置判定手段により車両がどの駐車領域に駐車したかを判定するまでは、後続する車両は入口から入車することができず、待機状態となる。大きな駐車場では、入口から入車した車両が駐車するまでは長い時間を要することから、この入口での待機時間が長くなり問題となっていた。
【０００５】
本発明は、上記課題を解決するためのものであり、駐車位置を確認することができるとともに、駐車位置までの通行ルートを知ることができる駐車位置確認システムを提供することを目的とする。
【０００６】
【課題を解決するための手段】
上記目的を達成するために、本発明の駐車位置確認システムは、車両データが記憶された記憶媒体と、前記記憶媒体に記憶された車両データを読み取る車両データ読み取り手段と、読み取った車両データと駐車位置データとを関連付けて記憶する駐車位置記憶手段と、前記記憶媒体に記憶された車両データを読み取り、読み取った車両データと前記駐車位置記憶手段に記憶された車両データとを照合する車両データ照合手段と、この車両データ照合手段により一致が判定された場合には、その駐車位置を表示する駐車位置表示手段とから構成したものである。
【０００７】
なお、前記記録媒体を、無線タグから構成することが好ましい。また、前記記録媒体を、車両キーに取り付けることが好ましい。さらに、前記車両データ読み取り手段を、前記複数の駐車スペース毎に設置することが好ましい。また、前記駐車位置記憶手段と車両データ照合手段と駐車位置表示手段とを、前記ユーザ通路に設置することが好ましい。さらに、前記駐車位置表示手段は、この駐車位置表示手段が設置された場所から駐車位置までの通行ルートを表示することが好ましい。また、任意の暗証番号データを入力する暗証番号データ入力手段と、入力された暗証番号データと駐車位置データとを関連付けて記憶する駐車位置記憶手段と、暗証番号データの入力が可能で、入力された暗証番号データと前記駐車位置記憶手段に記憶された暗証番号データとを照合する暗証番号データ照合手段と、この暗証番号データ照合手段により一致が判定された場合に、前記駐車位置表示手段の機能を有効化する表示規制手段とを備えることが好ましい。
【０００８】
【発明の実施の形態】
図１は、本発明の駐車位置確認システムが設置された駐車場２を示す概略平面図である。駐車場２は、車両の出入口である出入口通路３と、車両を駐車する駐車エリア４と、車両から降りた利用者が通行する歩行者通路５とから構成されている。
【０００９】
出入口通路３は、車両が入場する入口通路３ａと車両が出て行く出口通路３ｂとからなる。駐車エリア４は、４つの区画に分けられ、各駐車区画１１〜１４には、各１０個ずつ駐車スペース１１ａ〜１１ｊ，１２ａ〜１２ｊ，１３ａ〜１１ｊ，１４ａ〜１４ｊが設けられている。歩行者通路５は、駐車場２の駐車エリア４と、駐車場２を設置した施設、例えばデパートとを結ぶように設けられている。車両から降りた利用者は、歩行者通路５を歩行して駐車エリア４と施設との間を移動する。
【００１０】
出入口通路３には出入車両管理装置１５が、各駐車スペース１１ａ〜１４ｊには車両データ読み取り装置１６が、歩行者通路５には駐車位置案内装置１７がそれぞれ設置されている。出入車両管理装置１５のブロック図である図２に示すように、出入車両管理装置１５は、マイコン１９によって制御されている。このマイコン１９には、入口通路３ａに進入してきた車両を検知する車両センサ２０と、入口通路３ａと出口通路３ｂとをそれぞれ開閉する遮断ゲート２１，２２と、車両の出入りを記録する出入記録メモリ２３と、料金支払い機２４と、料金表示パネル２５と、駐車券挿入機２６と、データリーダ２７と、駐車券発券機２８とが接続されている。
【００１１】
駐車券３０は、例えばプラスチック製のカードからなる。駐車券３０の表面には、例えば感熱記録によって印字及び消去が可能な印字層が形成されており、駐車スペースに駐車した時間が印字される。また、駐車券３０には、発券時間が電気的に記録されるメモリ３１が組み込まれている。
【００１２】
駐車券発券機２８は、駐車券３０の発券を要求するための発券スイッチ３３と、駐車券３０を利用者に発券する発券部３４と、駐車券３０の印字層に駐車時間３０ａを印字するデータ印字部３５と、メモリ３１に発券時間データを記録するデータライタ３６とからなる。
【００１３】
図３（Ａ）に示すように、出入車両管理装置１５の入口通路３ａ側の面には、車両センサ２０と、発券スイッチ３３を操作するための発券ボタン３７と、発券部３４から発行された駐車券３０が送り出される発券開口３８とが配置されている。図３（Ｂ）に示すように、出入車両管理装置１５の出口通路３ｂ側の面には、料金支払い機２４，料金表示パネル２５，駐車券挿入機２６が配置されている。駐車券挿入機２６は、駐車場２から出て行く利用者に使用済みの駐車券３０を挿入口２６ａに挿入してもらい、データリーダ２７で挿入された駐車券３０の発券時間データを読み取る。料金支払い機２４は、データリーダ２７で読み取った発券時間データから駐車料金や駐車時間を計算するとともに、紙幣挿入部２４ａ及び硬貨投入部２４ｂによって駐車料金の支払いを受ける。料金表示パネル２５は、料金支払機２４で計算された駐車料金や駐車時間等を表示する。
【００１４】
車両データ読み取り装置１６，駐車位置案内装置１７のブロック図である図４に示すように、車両データ読み取り装置１６は、各部を制御するマイコン４１と、データリーダ４２と、各駐車スペース１１ａ〜１４ｊに対応した駐車位置データが記憶されたＲＯＭ４３と、データ送信部４４と、暗証番号入力機４５とからなる。暗証番号入力機４５は、任意の暗証番号（例えば５桁）を入力するためのスイッチ４６〜５７と、表示パネル５８とからなる。
【００１５】
図５に示すように、車両データ読み取り装置１６の前面には、データリーダ４２と、スイッチ４６〜５７を入力するための、１から９までの数字の番号入力ボタン６１〜６９、入力開始を指示する入力ボタン７０、ＯＫボタン７１、キャンセル（Ｃ）ボタン７２と、入力された番号を表示する表示パネル５８とが配置されている。データリーダ４２は、車両キー７５から車両番号データを読み取る。データ送信部４４は、データリーダ４２で読み取った車両番号データと、ＲＯＭ４３内に記憶された各駐車スペース１１ａ〜１４ｊに対応した駐車位置データと、暗証番号入力機４５で入力された暗証番号データとを送信する。
【００１６】
車両キー７５には、車両番号データが電気的に記録される無線タグ７６が取り付けられている。無線タグ７６は、例えば、薄い金属膜で形成されたアンテナ７７と、このアンテナ７７に接続されたＩＣ７８とからなる。ＩＣ７８には、アンテナ７７によってデータリーダ４２と通信を行なう通信回路と、メモリとが組み込まれている。メモリには、各車両固有のデータ、例えば車両番号データ等が記憶されている。
【００１７】
データリーダ４２は、アンテナと、このアンテナを用いて電波の送受信を行なう通信回路とからなる。稼働中のデータリーダ４２は、周囲に電波（質問信号）を送信する。電波の到達エリアに進入した無線タグ７６は、アンテナ７７で電波を受信する。ＩＣ７８の通信回路は、受信した電波から電力を得、メモリに記録されている車両番号データをデータリーダ４２に送信する。無線タグ７６から受信したデータは、データリーダ４２によってマイコン４１に入力される。
【００１８】
駐車位置案内装置１７は、各部を制御するマイコン８０と、駐車位置案内装置１７から各駐車スペースまでの通行ルートが記録されたＲＡＭ８１と、車両キー７５の無線タグ７６から車両番号データを読み取るデータリーダ８２と、データ送信部４４から送信されるデータを受信するデータ受信部８３と、データ照合部８４と、データ駐車位置案内機１７の前の利用者の有無を検知する対人センサ８５と、車両の駐車位置と、駐車位置案内機１７から駐車位置までの通行ルートＲとを表示する車両位置表示パネル８６と、暗証番号入力機８７とからなる。
【００１９】
暗証番号入力機８７は、暗証番号を入力するためのスイッチ８８〜９９と、表示パネル１００とからなる。マイコン８０は、データ受信部８３で受信した車両番号データと駐車位置データと暗証番号データとを関連付けてＲＡＭ８１に記録する。データ照合部８４は、データリーダ８２で受信した車両番号データと、ＲＡＭ８１に記録された車両番号データとを照合するとともに、暗証番号入力機８７で入力された暗証番号データと、ＲＡＭ８１に記録された暗証番号データとを照合する
【００２０】
図６に示すように、駐車位置案内装置１７の前面には、データリーダ８２と、対人センサ８５と、車両位置表示パネル８６と、スイッチ８８〜８９を入力するための、１から９までの数字の番号入力ボタン１０１〜１０９、入力開始を指示する入力ボタン１１０、ＯＫボタン１１１、キャンセル（Ｃ）ボタン１１２と、入力された番号を表示する表示パネル１００とが配置されている。
【００２１】
次に、本実施形態の作用について説明する。図７に示すように、ユーザ１１５が運転するユーザ車両１１６が入口通路３ａを通って出入車両管理部１５に到達すると、出入車両管理装置１５は、車両センサ２０で車両を検出し、駐車スペース１１ａ〜１４ｊに空きがある場合には、ユーザ１１５が発券ボタン３７を押すと、発券開口３８から駐車券３０を発券し、入口遮断ゲート２１を開く。
【００２２】
ユーザ１１５が発券ボタン３７を押した時間が例えば１５：２０の場合には、データライタ３６により「１５：２０」という発券時間データがメモリ３１に記録されるとともに、データ印字部３５により「１５：２０」という発券時間が印字された駐車券３０が、発券開口３８から発券される。この時、マイコン１９は、出入記録メモリ２３に入車時間を記録する。ユーザ１１５は、図中２点鎖線で示すように、ユーザ車両６２を規定の走行方向（例えば、時計方向）に走行させ、駐車スペース１１ａ〜１４ｊの空きスペースを探し、例えば空きスペースである駐車スペース１１ｆにユーザ車両１２２を駐車する。
【００２３】
駐車スペース１１ｆには、車両データ読み取り機１６が配置されており、データリーダ４２は、電波を送信している。電波の到達エリアに進入した無線タグ７６は、データリーダ４２から送信される電波を受信して、その受信した電波に応じて車両番号データの電波を送信する。データリーダ４２は、無線タグ７６から送信された車両番号データの電波を受信し、受信した車両番号データをマイコン４１に送る。そして、ユーザ１１５は、暗証番号入力機４５で、５桁の暗証番号、例えば「５４３２１」を入力する。マイコン４１は、車両番号データと駐車位置データと暗証番号データとを、データ送信部４４を介して、駐車位置案内装置１７のデータ受信部８３に送信する。駐車位置案内装置１７のマイコン８０は、データ受信部８３で受信した車両番号データと駐車位置データと暗証番号データとを関連付けてＲＡＭ８１に記録する。
【００２４】
ユーザ１１５は、駐車エリア４から歩行者通路５を通りデパート等の施設に向かう。そして、デパートで買い物等の所望する行動を終えると、歩行者通路５を通り駐車エリア４へ向かう。歩行者通路５には駐車位置案内装置１７が設置されており、データリーダ８２は電波を送信している。電波の到達エリアに進入した無線タグ７６は、データリーダ８２から送信される電波を受信して、その受信した電波に応じてメモリに記録された車両番号データの電波を送信する。データリーダ８２は、無線タグ７６から送信された車両番号データの電波を受信し、受信した車両番号データをマイコン８０に送る。このように、非接触方式で車両番号データを読み取るから、荷物等で手がふさがっていて車両キー７５を取り出せない場合にも、有効である。
【００２５】
データ照合部８４は、データリーダ８２で受信した車両番号データと、ＲＡＭ８１に記録された車両番号データとを照合する。データ照合部８４で一致が判定されると、マイコン８０は、暗証番号入力機８７への暗証番号の入力を促すために、「暗証番号を入力してください」等のコメントを車両位置表示パネル８６に表示する。データ照合部８４は、ユーザ１１５が入力した暗証番号データとＲＡＭ８１内に記録された暗証番号データとを照合する。データ照合部８４で一致が判定されると、マイコン８０は、駐車位置データに基づき、車両位置表示パネル８６に、駐車位置（駐車スペース１１ｆ）と、駐車位置案内装置１７が設置された場所（現在地）から駐車位置までの通行ルートＲとを表示する。なお、駐車位置案内装置１７にプリンタを設け、車両位置表示パネル８６に表示した駐車位置と通行ルートＲとをプリントしてもよい。また、対人センサ８５で人を検知しており、駐車位置案内装置１７の前を利用者が通ったときのみ、マイコン８０は車両位置表示パネル８６の電源をオンする。
【００２６】
ユーザ１１５は、車両位置表示パネル８６に表示された駐車位置までの通行ルートＲに従って駐車スペース１１ｆに向かう。駐車スペース１１ｆに到着すると、ユーザ車両１１６を規定の走行方向に走行させ、出口通路３ｂを通って出入車両管理装置１５に向かう。出入車両管理装置１５に到着すると、ユーザ１１５は、駐車券３０を挿入口２６ａに挿入する。駐車券３０が挿入口２６ａに挿入されると、データリーダ２７はメモリ３１の発券時間データを読み取る。料金支払い機２４は、データリーダ２７で読み取った発券時間データから駐車料金や駐車時間を計算するとともに、紙幣挿入部２４ａ及び硬貨投入部２４ｂによって駐車料金の支払いを受ける。料金表示パネル２５は、料金支払機２４で計算された駐車料金や駐車時間等を表示する。料金の支払いが確認されると出口遮断ゲート２２が開き、ユーザ車両６２を出車することができる。マイコン１９は、出入記録メモリ２３に車両の出車時間を記録する。
【００２７】
このように、ユーザ１１５は駐車位置案内装置１７の前を通るだけで、容易に駐車位置と、駐車位置案内装置１７が設置された場所（現在地）から駐車位置までの通行ルートＲとを確認することができる。また、ユーザ１１５が駐車エリア５で駐車スペース１１ａ〜１４ｊの空きスペースを探している間でも、駐車スペース１１ａ〜１４ｊに空きがある場合には、後続する車両は、出入車両管理装置１５で待機させられることなく駐車エリア４に進入することができる。さらに、車両データ読み取り装置１６の暗証番号入力機４５で暗証番号データを入力するから、駐車位置案内装置１７の暗証番号入力機８７で再度暗証番号データを入力しないと、車両位置表示パネル８６に駐車位置と通行ルートＲとを表示しないため、車両キー７５を紛失した場合の安全性を確保することができる。
【００２８】
なお、上記実施形態では、無線タグ７６を車両キー７５に取り付けたが、これに限定されることなく、例えばキーホルダ等に取り付けてもよい。
【００２９】
また、上記実施形態では、車両キー７５に電波の通信機能を備える無線タグ７６を取り付け、無線タグ７６のＩＣ７８内に車両番号データを記憶させたが、これに限定されることなく、データの記録が可能なものであれば磁気カード等から構成してもよい。
【００３０】
さらに、上記実施形態では、車両データ読み取り装置１６のデータ送信部４４と、駐車位置案内装置１７のデータ受信部８３とを無線により接続したが、接続ケーブル等を用いて接続してもよい。
【００３１】
【発明の効果】
以上説明したように、本発明の駐車位置確認システムによれば、車両データが記憶された記憶媒体と、記憶媒体に記憶された車両データを読み取る車両データ読み取り手段と、読み取った車両データと駐車位置データとを関連付けて記憶する駐車位置記憶手段と、記憶媒体に記憶された車両データを読み取り、読み取った車両データと駐車位置記憶手段に記憶された車両データとを照合する車両データ照合手段と、この車両データ照合手段により一致が判定された場合には、その駐車位置を表示する駐車位置表示手段とを備えたから、容易に駐車位置を確認することができる。また、記録媒体を電波の通信機能を備えた無線タグから構成したから、位置データ読み取り手段と非接触で自動的に駐車位置を確認することができる。さらに、駐車位置表示手段は、この駐車位置表示手段が設置された場所から駐車位置までの通行ルートを表示するから、より一層容易に駐車位置を確認することができる。
【００３２】
また、任意の暗証番号データを入力する暗証番号データ入力手段と、入力された暗証番号データと駐車位置データとを関連付けて記憶する駐車位置記憶手段と、暗証番号データの入力が可能で、入力された暗証番号データと駐車位置記憶手段に記憶された暗証番号データとを照合する暗証番号データ照合手段と、この暗証番号データ照合手段により一致が判定された場合に、駐車位置表示手段の機能を有効化する表示規制手段とを備えたから、記録媒体を取り付けた車両キーを紛失した場合の安全性を保することができる。
【図面の簡単な説明】
【図１】本発明の駐車位置確認システムが設置された駐車場の概略平面図である。
【図２】出入車両管理装置装置の電気的構成を示すブロック図である。
【図３】出入車両管理装置の概略図である。
【図４】車両データ読み取り装置と駐車位置案内装置との電気的構成を示すブロック図である。
【図５】車両データ読み取り装置を示す概略正面図である。
【図６】駐車位置案内装置を示す概略正面図である。
【図７】車両が進入してきたときの動きを示す概略図である。
【符号の説明】
２  駐車場
３  出入口通路
４  駐車エリア
５  歩行者通路
１１〜１４  駐車区画
１１ａ〜１４ｊ  駐車スペース
１５  出入車両管理装置
１６  駐車券発券装置
１７  駐車位置案内装置
１９  マイコン
２７  データリーダ
３０  駐車券
４１  マイコン
４２  データリーダ
４３  ＲＯＭ
４４  データ送信部
４５  暗証番号入力機
７５  車両キー
７６  無線タグ
７７  アンテナ
７８  ＩＣ
８０  マイコン
８１  ＲＡＭ
８２  データリーダ
８３  データ受信部
８４  データ照合部
８６  車両位置表示パネル
８７  暗証番号入力機
【図１】
2004206199.tif 000003
【図２】
2004206199.tif 000004
【図３】
2004206199.tif 000005
【図４】
2004206199.tif 000006
【図５】
2004206199.tif 000007
【図６】
2004206199.tif 000008
【図７】
2004206199.tif 000009